(57)【要約】      （修正有）【課題】アーチ形パイプハウス等に設ける薄鋼板波板用に、多用途利用の曲げ加工機を提供する。【解決手段】１・曲面に設けた駆動ローラー１およびローラーＡ２とローラーＢ３に波板状ベルトＡ４を設ける。２・曲面に設けたローラー７およびローラーＡ２と曲面盤５に波板状ベルトＢ６を設け、昇降機能を設ける。３・曲面に設けたローラー７およびローラーＡ２に波板状ベルとＣ８を設け、昇降機能を設ける。４・駆動ローラー１の両端に歯車を設け、波板状ベルトＡ４の内側両端にラックを設ける。【選択図】図１
2008284603.tif 000002
【特許請求の範囲】
【請求項１】
曲面に設けた駆動ローラー１およびローラーＡ２とローラーＢ３に波板状ベルトＡ４を設け、薄鋼板波板を曲面に曲げることを特徴とした薄鋼板波板の曲げ加工機。
【請求項２】
曲面に設けたローラー７およびローラーＡ２と曲面盤５を設け、波板状ベルトＢ６を設けて薄鋼板波板を曲面に曲げることを特徴とした薄鋼板波板の曲げ加工機。
【請求項３】
曲面に設けたローラー７およびローラーＡ２に波板状ベルトＣ８を設けて薄鋼板波板を曲面に曲げることを特徴とした薄鋼板波板の曲げ加工機。
【請求項４】
請求項１に記載の薄鋼板波板の曲げ加工機において、両端に歯車１−２を設けた駆動ローラー１およびベルトの内側両端にラックを設けた波板状ベルトＡ４を設けたことを特徴とした薄鋼板波板の曲げ加工機。
【請求項５】
請求項２および請求項３に記載の薄鋼板波板の曲げ加工機において、昇降機能を設けたことを特徴とした薄鋼板波板の曲げ加工機。
【発明の詳細な説明】
【産業上の利用分野】
【０００１】  薄鋼板波板には、なまこ板・角波板・リブ波板等のカラー波板があり、この薄鋼板波板に曲げを設け、パイプハウス等に設ける多用途利用の曲げ薄鋼板波板である。
【背景技術】
【０００２】  従来のパイプハウスは、フィルムを設けるのであり、薄鋼板波板を設ける構成では無かった。したがって、曲げ薄鋼板波板または曲げを設ける薄鋼板波板の曲げ加工機はなかった。
【発明が解決しようとする課題点】
【０００３】  パイプハウス（地中押し込み式パイプハウス）の小屋形状は、アーチ形・山形などがあり、薄鋼板波板を小屋に設ける場合には折れなどが生じる欠点があった。パイプハウスの小屋等に設ける薄鋼板波板には曲げ加工が必要となるのであり、薄鋼板波板の曲げ加工機を開発をしようとするものである。
【課題を解決するための手段】
【０００４】１・駆動ローラー１およびローラーＡ２とローラーＢ３を曲面に設けて波板状ベルトＡ４を設ける。
２・駆動ローラー１両端に設けた歯車１−２を一体に設ける。
３・波板状ベルトＡ４の内側両端に、ラックを設ける。
４・駆動ローラー１の歯車１−２および波板状ベルトＡ４のラックは、噛み合わせに設ける。
５・ローラー７およびローラーＡ２と曲面盤５を曲面に設けて波板状ベルトＢ６を設け、昇降機能に設ける。
６・ローラー７およびローラーＡ２を曲面に設けて波板状ベルトＣ８を設け、昇降機能に設ける。
７・ローラーＡ２の曲面はアーチ形パイプハウスの屋根部分の曲面であり、ローラーＢ３および曲面盤５の曲面は桁行きの肩部の曲面に設ける。
【作用】
【０００５】  曲面に設けたローラーおよび曲面盤に波板状ベルトを設けて波板状ベルトの低速回転により、薄鋼板波板を曲げ加工するのである。波板状ベルトＡ４に設けたラックは、駆動ローラー１に設けた歯車１−２と噛み合い滑りを防ぐのである。波板状ベルトＢ（ローラーおよび曲面盤を含む）および波板状ベルトＣ（ローラーを含む）は、昇降機能により上下するのである。
【実施例１】
【０００６】  請求項１の実施例について説明する。
曲面に設けた駆動ローラー１およびローラーＡ２とローラーＢ３に波板状ベルトＡ４を設けた薄鋼板波板の曲げ加工。
薄鋼板波板をアーチ形等のパイプハウスに設ける場合には曲げ加工が必要となるのであり、特に桁行の肩部（名称は地中押し込み式パイプハウス安全構造指針より）の曲げ加工は重要である。この薄鋼板波板を曲げる為に、駆動ローラー１およびローラーＡ２とローラーＢ３を曲面に設けて波板状ベルトＡ４を設けた曲げ加工である。曲げを要するアーチ形等のパイプハウスでは、屋根および桁行の肩部に設ける薄鋼板波板の曲げ加工である。曲げ加工の構成は、駆動ローラー１およびローラーＡ２に設ける曲面は屋根面の曲面であり、駆動ローラー１およびローラーＢ３に設ける曲面は桁行き肩部の曲面である。この曲面に設けた駆動ローラー１およびローラーＡ２とローラーＢ３に波板状ベルトＡ４を設け、低速回転による薄鋼板波板の曲げ加工である。
薄鋼板波板の挿入は、図１波板挿入方向ａである。したがって、曲面薄鋼板波板をアーチ形等のパイプハウス桁行の肩部に設けるのである。
【実施例２】
【０００７】  請求項２の実施例について説明する。
曲面に設けたローラー７およびローラーＡ２と曲面盤５を設け、波板状ベルトＢ６を設けた薄鋼板波板の曲げ加工。
［実施例１］と一対で曲げ加工するものである。
薄鋼板波板の曲げ加工の構成は、ローラー７およびローラーＡ２に設ける曲面は屋根面の曲面であり、曲面盤５およびローラー７に設ける曲面は、桁行き肩部の曲面である。この曲面に設けたローラー７およびローラーＡ２と曲面盤５に波板状ベルトＢ６を設け、低速回転による薄鋼板波板の曲げ加工である。また、パイプハウスの桁行き肩部等の曲げ加工による薄鋼板波板の折れ等を防ぎ、安定した薄鋼板波板の曲面を設ける為に曲面盤５を設けるのである。
薄鋼板波板の挿入は、図１の波板挿入方向ａである。したがって、曲面薄鋼板波板をアーチ形等のパイプハウスの桁行き肩部に設けるのである。
【実施例３】
【０００８】  請求項３の実施例について説明する。
曲面に設けたローラー７およびローラーＡ２に波板状ベルトＣ８を設けた薄鋼板波板の曲げ加工。
［実施例１］と一対で曲げ加工するものである。
薄鋼板波板の曲げ加工の構成は、ローラー７およびローラーＡ２に設ける曲面は屋根面の曲面であり、この曲面に設けたローラー７およびローラーＡ２に波板状ベルトＣ８を設け、低速回転による薄鋼板波板の曲げ加工である。
薄鋼板波板の挿入は、図１の波板挿入方向ｂである。したがって、曲面薄鋼板波板をアーチ形等のパイプハウスの屋根面に設けるのである。
【実施例４】
【０００９】  請求項４の実施例について説明する。
［実施例１］の薄鋼板波板の曲げ加工において、両端に歯車１−２を設けた駆動ローラー１およびベルトの内側両端にラックを設けた波板状ベルトＡ４を設けた薄鋼板波板の曲げ加工。
薄鋼板波板の曲げ加工では波板状ベルトＡ４に抵抗が生じ、駆動ローラー１と波板状ベルトＡ４に滑りが生じるのである。滑りを防ぎ、安定した曲げ加工をする為に駆動ローラー１の両端に歯車１−２を設け、波板状ベルトＡ４の内側両端にラックを設けるのである。このラックと歯車１−２による噛み合いにより、滑りを防ぐのである。したがって、駆動ローラー１の両端に歯車１−２を設けて一体化にし、波板状ベルトＡ４の内側両端にラックを設けた薄鋼板波板の曲げ加工である。また薄鋼板波板の挿入は、パイプハウス肩部の曲げ加工では図１波板挿入方向ａであり、屋根面の曲げ加工では図１波板挿入方向ｂである。
【実施例５】
【００１０】  請求項５の実施例について説明する。
［実施例２］および［実施例３］の薄鋼板波板の曲げ加工において、昇降機能を設けた薄鋼板波板の曲げ加工。
以下、実施例２および実施例３を▲２▼・▲３▼とし、実施例１を▲１▼と記述する。
▲２▼ローラー７およびローラーＡ２と曲面盤５に波板状ベルトＢ６を設けた構成、▲３▼ローラー７およびローラーＡ２に波板状ベルトＣ８を設けた構成に昇降機能を設けるのである。▲１▼駆動ローラー１およびローラーＡ２とローラーＢ３に波板状ベルトＡ４設けた構成は固定である。この▲１▼の駆動ローラー１により波板状ベルトＡ４が低速回転するのであり、▲２▼の波板状ベルトＢ６または▲３▼の波板状ベルトＣ８も低速回転するのである。アーチ形パイプハウスの桁行き肩部に設ける薄鋼板波板では、▲１▼および▲２▼の低速回転による曲げ加工であり、屋根面に設ける薄鋼板波板では、▲１▼および▲３▼の低速回転による曲げ加工である。
したがって、▲１▼および▲２▼（波板挿入方向ａ）の曲げ加工では▲３▼の昇降機能により回転を停止するのであり、▲１▼および▲３▼（波板挿入方向ｂ）による曲げ加工では▲２▼の昇降機能により回転が停止するのである。【００１１】  本願に関係する工業所有権の出願。
１・特許出願（申請）番号  ２００５−  ２５６７１号    波板張りパイプハウスの保温構成。
２・特許出願（申請）番号  ２００６−２２８４４８号    薄鋼板波板の曲げ加工。【００１２】  本出願の参考文献。
１・地中押し込み式パイプハウス安全構造指針：  社団法人  日本施設園芸協会。
【発明の効果】
【００１１】  薄鋼板波板の曲げ加工により、パイプハウスの桁行き肩部および屋根面等に設ける強度向上の薄鋼板波板である。したがって、アーチ形等のパイプハウスまたは反り形屋根等に設ける多用途利用の曲げ薄鋼板波板であり、曲げ加工機である。また、薄鋼板波板には、なまこ板または角波板やリブ波板等のカラー波板があり、曲げ加工機による曲げ薄鋼板波板である。
【図面の簡単な説明】
【図１】  曲げ加工機の断面図。
【図２】  駆動ローラーおよび歯車の一部正面。
【図３】  歯車側面および軸の断面図
【符号の説明】
１      駆動ローラー
２      ローラーＡ
３      ローラーＢ
４      波板状ベルトＡ
５      曲面盤
６      波板状ベルトＢ
７      ローラー
８      波板状ベルトＣ
【図１】
2008284603.tif 000003
【図２】
2008284603.tif 000004
【図３】
2008284603.tif 000005